(57)【要約】【課題】  遊技盤、支持部材及び前面扉の遊技機への取り付け、遊技機からの取り外しの作業を状況に応じて効率的に行うことができるようにする。【解決手段】  中枠４に、裏セット板１８及び遊技盤６が取り付けられる取り付け枠２６を設ける。取り付け枠２６の４隅に、遊技盤固定部材２７を挿通孔６ｃの位置に対応するように設ける。遊技盤固定部材２７は係止つまみ２７ａと軸部２７ｂとを備える。取り付け枠２６の上下左右に、本体部１８ａの挿通孔１８ｅの位置に対応するように、裏セット板固定部材２８を２つずつ設ける。裏セット板固定部材２８は、係止つまみ２８ａと軸部２８ｂとを備える。裏セット板１８の本体部１８ａに設けられた係止突起２０を、遊技盤６に形成された貫通孔６ｅに対して挿脱させることにより、本体部１８ａと遊技盤６とを一体化させたり、あるいはその一体化を解除することが可能となる。【選択図】        図３
2006061599.tif 000002
【特許請求の範囲】
【請求項１】
遊技盤と、前記遊技盤の裏面側に配置される裏機構板と、前記裏機構板を保持する保持枠と、前記保持枠が固定される本体基部と、を備えた遊技機において、
前記本体基部に固定された前記保持枠に前面側から前記裏機構板を固定するとともにその固定を解除する裏機構板固定手段と、
前記裏機構板が固定された前記保持枠に前面側から前記遊技盤を固定するとともにその固定を解除する遊技盤固定手段と、
前記裏機構板と前記遊技盤とを一体化するとともにその一体化を解除する一体化手段とを備えたことを特徴とする遊技機。
【請求項２】
前記裏機構板固定手段は、前記保持枠の前面に突出して設けられ、前記裏機構板に形成された貫通孔に挿通することにより前記裏機構板を保持する裏機構板保持部材を有し、
前記遊技盤固定手段は、前記保持枠の前面に突出して設けられ、前記遊技盤に形成された貫通孔に挿通することにより前記遊技盤を保持する遊技盤保持部材を有することを特徴とする請求項１記載の遊技機。
【請求項３】
前記遊技盤の前面を視認可能に覆う前面扉が前記保持枠に取り付けられていることを特徴とする請求項１または２記載の遊技機。
【請求項４】
遊技盤と、前記遊技盤の裏面側に配置される裏機構板と、前記裏機構板を保持する保持枠と、前記保持枠が固定される本体基部と、を備えた遊技機において、
前記本体基部に固定された前記保持枠に前面側から前記裏機構板を固定するとともにその固定を解除する裏機構板固定手段と、
前記本体基部または前記裏機構板に前面側から前記遊技盤を固定するとともにその固定を解除する遊技盤固定手段と、
前記遊技盤の前面を視認可能に覆い前記保持枠に取り付けられる前面扉と、
前記裏機構板と前記遊技盤とを一体化するとともにその一体化を解除する一体化手段とを備えたことを特徴とする遊技機。
【請求項５】
前記裏機構板固定手段は、前記保持枠の前面に突出して設けられ、前記裏機構板に形成された貫通孔に挿通することにより前記裏機構板を保持する裏機構板保持部材を有し、
前記遊技盤固定手段は、前記本体基部または前記裏機構板の前面に突出して設けられ、前記遊技盤に形成された貫通孔に挿通することにより前記遊技盤を保持する遊技盤保持部材を有することを特徴とする請求項４記載の遊技機。
【請求項６】
前記一体化手段は、前記裏機構板と前記遊技盤との一方に設けられた係止突起と、他方に形成され、前記係止突起が挿入されて係止する穴部とから構成されることを特徴とする請求項１ないし５いずれか１つ記載の遊技機。
【請求項７】
前記裏機構板に前記遊技盤の遊技領域内に配置される構造物を設け、
前記遊技盤に前記構造物が挿通されて前記遊技領域に露呈する開口を形成し、
前記遊技盤の前面と略平行になる平行位置と、前記開口から前記構造物が露呈された際に、前記遊技盤の前面と略垂直になる垂直位置との間で回動する回動片を前記構造物に設け、
前記回動片と前記遊技盤との一方に前記係止突起を、他方に前記穴部を設け、前記回動片が前記垂直位置から前記平行位置に回動された際に前記係止突起が前記穴部に挿入されることを特徴とする請求項６記載の遊技機。
【発明の詳細な説明】
【技術分野】
【０００１】
本発明は、パチンコ店などの遊技場に設置して使用されるパチンコ機などの遊技機に関するものである。
【背景技術】
【０００２】
遊技場に設置される遊技機としてパチンコ機が挙げられる。パチンコ機を構成する基体となる本体基部には、パチンコ球（遊技球）が打ち出される遊技領域が形成された遊技盤、遊技の際に作動される駆動装置の作動を制御する作動制御装置（制御回路基板）、液晶パネルなどを支持するとともに、パチンコ球の球通路が形成された支持部材が取り付けられている。本体基部の前面には、遊技領域を視認させる窓部を備えた前面扉が回動自在に取り付けられている。前面扉は遊技盤や支持部材を本体基部に取り付けたり、あるいは遊技盤や支持部材を本体基部から取り外したりする際に開閉される。設置されているパチンコ機のデザインを一新したり、あるいは遊技性の異なるパチンコ機へ交換する場合には、遊技場で新たな機種のパチンコ機と設置中の古い機種のパチンコ機とが本体基部ごと全て交換される。
【０００３】
ところで、パチンコ機は機種に関わらず多くの共通部品が使用されているが、本体基部などを交換してしまうと、共通部品も同時に交換することになって共通部品をリユースできなくなり、機種交換に伴うコストが高くなってしまう。このため、例えば機種の入れ替えや破損や故障などによって、遊技機の交換を行うにあたって共通部品を遊技場に据え置きとし、変更となる部品のみを交換することが可能なパチンコ機を提供することが検討されている。例えば、遊技盤のみを交換することができるように遊技盤と支持部材とを別個にして、本体基部に支持部材を取り付けて、遊技盤を支持部材に着脱自在に設ける。これにより、作動制御装置を支持部材とともに本体基部に据え置き、遊技盤のみを新たなパチンコ機に対応した遊技盤に容易に交換することができる。
【発明の開示】
【発明が解決しようとする課題】
【０００４】
しかしながら、上述したように支持部材を本体基部に据え置きにした場合、例えば、作動制御装置や球通路などのメンテナンスや交換などの作業を行う際には、遊技盤を支持部材から取り外した後に、支持部材が本体基部に据え置かれている状態で作動制御装置や球通路を取り外したり、あるいは支持部材ごと本体基部から取り外さなければならないため、取り外し作業が面倒になってしまうといった問題が生じる。また、遊技盤及び支持部材を新しいものに交換する場合についても、本体基部から遊技盤を取り外した後に支持部材を取り外さなければならず、やはり取り外し作業が面倒であるといった問題が生じてしまう。
【０００５】
遊技盤及び支持部材をまとめて本体基部から取り外すために、例えば、遊技盤と支持部材とをネジ止めにより一体化させてから本体基部に取り付ける方法が考えられるが、この場合、遊技盤と支持部材のいずれか一方のみのメンテナンスや交換などを行う際に、ネジ止めにより一体化した遊技盤と支持部材とを一旦本体基部から取り外してから遊技盤と支持部材とのネジ止めを解除しなければならず、やはり作業が面倒になるといった問題が生じる。
【０００６】
さらに、前面扉は、本体基部に取り付けられており、遊技盤、支持部材及び前面扉を新たなものに交換することによりパチンコ機の機種交換を行う場合には、上述したように遊技盤と支持部材とをネジ止めにより一体化させていても、一体化した遊技盤及び支持部材と前面扉とは、パチンコ機から取り外した後にバラバラになってしまい、遊技盤、支持部材及び前面扉を工場等に搬送して再使用する際に、一体化した遊技盤及び支持部材と前面扉とをそれぞれ個別に搬送する必要があり、手間がかかっていた。
【０００７】
本発明は、上記課題を解決するためになされたものであり、機種の入れ替えや破損や故障などによって遊技機の交換を行うにあたって、状況に応じたコストダウンを図り、さらに、遊技盤、支持部材及び前面扉の遊技機への取り付け、遊技機からの取り外しの作業を状況に応じて効率的に行うことができるようにした遊技機を提供することを目的とする。
【課題を解決するための手段】
【０００８】
上記目的を達成するために、本発明の遊技機は、遊技盤と、前記遊技盤の裏面側に配置される裏機構板と、前記裏機構板を保持する保持枠と、前記保持枠が固定される本体基部と、を備えた遊技機において、前記本体基部に固定された前記保持枠に前面側から前記裏機構板を固定するとともにその固定を解除する裏機構板固定手段と、前記裏機構板が固定された前記保持枠に前面側から前記遊技盤を固定するとともにその固定を解除する遊技盤固定手段と、前記裏機構板と前記遊技盤とを一体化するとともにその一体化を解除する一体化手段とを備えたことを特徴とする。
【０００９】
なお、前記裏機構板固定手段は、前記保持枠の前面に突出して設けられ、前記裏機構板に形成された貫通孔に挿通することにより前記裏機構板を保持する裏機構板保持部材を有し、前記遊技盤固定手段は、前記保持枠の前面に突出して設けられ、前記遊技盤に形成された貫通孔に挿通することにより前記遊技盤を保持する遊技盤保持部材を有することが好ましい。
【００１０】
また、前記遊技盤の前面を視認可能に覆う前面扉が前記保持枠に取り付けられていることが好ましい。
【００１１】
さらに、本発明の遊技機は、遊技盤と、前記遊技盤の裏面側に配置される裏機構板と、前記裏機構板を保持する保持枠と、前記保持枠が固定される本体基部と、を備えた遊技機において、前記本体基部に固定された前記保持枠に前面側から前記裏機構板を固定するとともにその固定を解除する裏機構板固定手段と、前記本体基部または前記裏機構板に前面側から前記遊技盤を固定するとともにその固定を解除する遊技盤固定手段と、前記遊技盤の前面を視認可能に覆い前記保持枠に取り付けられる前面扉と、前記裏機構板と前記遊技盤とを一体化するとともにその一体化を解除する一体化手段とを備えたことを特徴とする。
【００１２】
また、前記裏機構板固定手段は、前記保持枠の前面に突出して設けられ、前記裏機構板に形成された貫通孔に挿通することにより前記裏機構板を保持する裏機構板保持部材を有し、前記遊技盤固定手段は、前記本体基部または前記裏機構板の前面に突出して設けられ、前記遊技盤に形成された貫通孔に挿通することにより前記遊技盤を保持する遊技盤保持部材を有することが好ましい。
【００１３】
さらに、前記一体化手段は、前記裏機構板と前記遊技盤との一方に設けられた係止突起と、他方に形成され、前記係止突起が挿入されて係止する穴部とから構成されることが好ましい。
【００１４】
また、前記裏機構板に前記遊技盤の遊技領域内に配置される構造物を設け、前記遊技盤に前記構造物が挿通されて前記遊技領域に露呈する開口を形成し、前記遊技盤の前面と略平行になる平行位置と、前記開口から前記構造物が露呈された際に、前記遊技盤の前面と略垂直になる垂直位置との間で回動する回動片を前記構造物に設け、前記回動片と前記遊技盤との一方に前記係止突起を、他方に前記穴部を設け、前記回動片が前記垂直位置から前記平行位置に回動された際に前記係止突起が前記穴部に挿入されることが好ましい。
【発明の効果】
【００１５】
本発明の遊技機によれば、遊技盤と、遊技盤の裏面側に配置される裏機構板と、裏機構板を保持する保持枠と、保持枠が固定される本体基部と、本体基部に固定された保持枠に前面側から裏機構板を固定するとともにその固定を解除する裏機構板固定手段と、裏機構板が固定された保持枠に前面側から遊技盤を固定するとともにその固定を解除する遊技盤固定手段と、裏機構板と遊技盤とを一体化するとともにその一体化を解除する一体化手段とを備えたから、裏機構板固定手段により本体基部に固定された保持枠に前面側から裏機構板を固定するとともにその固定を解除し、遊技盤固定手段により裏機構板が固定された保持枠に前面側から遊技盤を固定するとともにその固定を解除し、裏機構板及び遊技盤が固定された保持枠を本体基部に取り付けることができ、さらには、一体化手段により裏機構板と遊技盤とを一体化するとともにその一体化を解除することができるため、遊技盤固定手段による固定を解除することにより、保持枠から遊技盤のみを取り外すことができる。また、保持枠から遊技盤が取り外されている状態で、裏機構板固定手段による固定を解除することにより、保持枠から裏機構板を容易に取り外すことができる。さらに、保持枠から遊技盤と裏機構板とを取り外す場合には、裏機構板固定手段による固定と、遊技盤固定手段による固定を解除してから、裏機構板と遊技盤とを一体化手段により一体化させたまま保持枠から取り外すことができる。よって、遊技盤及び裏機構板の保持枠への取り付け、保持枠からの取り外しの作業を状況に応じて効率的に行うことが可能となり、さらには、保持枠を本体基部に取り付けたままでも、保持枠を本体基部から取り外した後でも、遊技盤及び裏機構板の保持枠への取り付け、保持枠からの取り外しの作業を行うことができる。しかも、機種の入れ替えや破損や故障などによって遊技機の交換を行うにあたって、必要な箇所のみを取り外せるため、状況に応じたコストダウンを図ることができる。例えば、遊技盤の遊技領域に配置される役物などの構造物を裏機構板に設けることによって、保持枠から遊技盤のみを取り外す場合、構造物をリユースすることができる。
【００１６】
また、裏機構板固定手段は、保持枠の前面に突出して設けられ、裏機構板に形成された貫通孔に挿通することにより裏機構板を保持する裏機構板保持部材を有し、遊技盤固定手段は、保持枠の前面に突出して設けられ、遊技盤に形成された貫通孔に挿通することにより遊技盤を保持する遊技盤保持部材を有するから、保持枠に設けられた裏機構板保持部材を、裏機構板に形成された貫通孔に挿通するだけで、容易に裏機構板を保持枠に固定することができ、保持枠に設けられた遊技盤保持部材を、遊技盤に形成された貫通孔に挿通するだけで、容易に遊技盤を保持枠に固定することができる。
【００１７】
さらに、遊技盤の前面を視認可能に覆う前面扉が保持枠に取り付けられているから、本体基部を複数の機種で共通部品として用い、遊技盤、裏機構板、前面扉を交換することにより機種交換を行う場合には、保持枠を本体基部から取り外し、新たな機種に対応した遊技盤、裏機構板、前面扉が固定された保持枠を本体基部に取り付けるだけで、容易に機種交換を行うことができる。
【００１８】
また、本発明の遊技機によれば、遊技盤と、遊技盤の裏面側に配置される裏機構板と、裏機構板を保持する保持枠と、保持枠が固定される本体基部と、本体基部に固定された保持枠に前面側から裏機構板を固定するとともにその固定を解除する裏機構板固定手段と、本体基部または裏機構板に前面側から遊技盤を固定するとともにその固定を解除する遊技盤固定手段と、遊技盤の前面を視認可能に覆い保持枠に取り付けられる前面扉と、裏機構板と遊技盤とを一体化するとともにその一体化を解除する一体化手段とを備えたから、裏機構板固定手段により裏機構板を前面側から保持枠に固定すると、裏機構板及び前面扉が取り付けられた保持枠を本体基部に取り付けることができ、裏機構板及び前面扉を交換することにより機種交換を行う場合には、保持枠を、新たな機種に対応した裏機構板及び前面扉が取り付けられた状態で機種交換を行う場所に搬送することができ、裏機構板、前面扉及び保持枠を個別に搬送する場合に比べて、搬送コストを下げることができる。さらには、一体化手段により裏機構板と遊技盤とを一体化するとともにその一体化を解除することができるため、保持枠を本体基部から取り外すことにより、遊技盤、裏機構板及び前面扉を一体的に取り外すことができる。
【００１９】
さらに、一体化手段は、裏機構板と遊技盤との一方に設けられた係止突起と、他方に形成され、係止突起が挿入されて係止する穴部とから構成されるので、簡便で、且つ低コストな構造で裏機構板と遊技盤とを一体化させることができる。また、穴部に係止突起を挿入することにより位置決めを行えるため、遊技盤を裏機構板の適切な位置に迅速に取り付けることができる。さらに、穴部から係止突起を引き抜くだけで遊技盤を裏機構板から容易に取り外すことができる。
【００２０】
また、裏機構板に遊技領域内に配置される構造物を設け、遊技盤に構造物が挿通されて遊技領域に露呈する開口を形成し、遊技盤の前面と略平行になる平行位置と、開口から構造物が露呈された際に、遊技盤の前面と略垂直になる垂直位置との間で回動する回動片を構造物に設け、回動片と遊技盤との一方に係止突起を、他方に穴部を設け、回動片が垂直位置から平行位置に回動された際に係止突起が穴部に挿入されるので、回動片を垂直位置にして開口から裏機構板の構造物が露呈するように裏機構板に遊技盤を取り付けた後、回動片を平行位置に回動して、穴部に係止突起を挿入することにより、遊技盤が回動片と裏機構板とで挟持された状態になり、裏機構板と遊技盤とを容易に一体化させることができる。また、遊技盤を裏機構板から容易に取り外すことができる。さらに、回動片を垂直位置から平行位置に回動させた際に回動片の露呈される部位、すなわち遊技者によって視認される部位を装飾しておくことにより遊技領域が装飾され、回動片を遊技領域を装飾する装飾部材として用いることができる。
【発明を実施するための最良の形態】
【００２１】
図１及び図２に示すように、遊技機の１実施例であるパチンコ機（遊技機）２は、本体基部３、中枠（保持枠）４、前面扉５、遊技盤６を備える。本体基部３は上部と下部とに大別することができ、上部は枠状に形成されている。本体基部３には、中枠４が取り付けられる略矩形状の取り付け部３ａが設けられている。取り付け部３ａの前面側には中枠４を本体基部３内に収納するためのスペースが設けられており、本体基部３は、取り付け部３ａの前面と内壁面３ｂとにより前面側から見て一段凹んだ状態になっている。取り付け部３ａの中央部には略矩形状の開口３ｃが形成されている。この開口３ｃには、制御回路装置１９が嵌め込まれる。中枠４の内部には遊技盤６が配設されており、遊技盤６の前面側には前面扉５が設けられている。前面扉５はヒンジ７により中枠４に回動自在に軸着されている。前面扉５の中央には開口（不図示）が形成されており、この開口は前面扉５の裏側に取り付けられるガラス扉８のガラス板９により遮蔽されている。前面扉５の下方、つまり、本体基部３の下部には、パチンコ球（遊技球）を供給する供給皿１０及びパチンコ球の打ち出し強さを調節する操作ハンドル１１が設けられている。供給皿１０にパチンコ球が投入されると、内部に設けられた通路によりパチンコ球は発射装置（不図示）へと誘導される。そして、操作ハンドル１１が操作されると遊技盤６上にパチンコ球が打ち出される。
【００２２】
遊技盤６は略矩形状に形成されている。遊技盤６上にはガイドレール１２に囲まれた遊技領域６ａが形成されている。遊技領域６ａの中央には略矩形状の開口６ｂが形成され、開口６ｂの外周を取り囲むように役物Ａが設けられている。その他に、開口６ｂの周辺には始動入賞口１３、通常入賞口１４、アタッカ１５、アウト口１６が設けられている。
【００２３】
遊技領域６ａ内を流下するパチンコ球は、始動入賞口１３または通常入賞口１４またはアタッカ１５等の所定入賞口のいずれかに入賞するか、あるいはアウト口１６から回収される。なお、パチンコ機２における釘、風車などの構造物は公知であるので説明は省略する。また、前面扉５が閉じている場合には、遊技者や遊技場の作業者は、前面扉５のガラス板９を通して遊技領域６ａを視認することができるが、この状態では遊技領域６ａに形成された構造物には触れることができないようになっている。
【００２４】
図３に示すように、遊技盤６の４隅には、挿通孔６ｃが形成されている。遊技盤６の上下左右の縁のそれぞれには半円状の切り欠き６ｄが２つずつ形成されている。また、遊技盤６には、遊技領域６ａを間に挟むようにして２つの貫通孔（穴部）６ｅが形成されている。
【００２５】
遊技盤６と裏セット板（裏機構板）１８とは、中枠４に着脱自在に固定されている。裏セット板（裏機構板）１８は、制御回路装置１９を支持する略板状の本体部１８ａを備え、本体部１８ａの前面には複数のリブ１８ｂが設けられ、これらリブ１８ｂにより球通路１８ｃが形成されている。本体部１８ａの４隅には、切り欠き１８ｄが形成されている。本体部１８ａは、遊技盤６の遊技領域６ａとは反対側の遊技盤６の裏面に配置され、前面側で遊技盤６を支持し、裏面側で制御回路装置１９を支持している。
【００２６】
本体部１８ａの前面、すなわち、遊技盤６を支持する際に遊技盤６の裏面に当接する面の中央部には、パチンコ球が上述した各入賞口に入賞した後に流下する球通路１８ｃが形成されている。各入賞口に入賞したパチンコ球は球通路１８ｃによって供給皿１０やパチンコ機２の内部、あるいは外部に設けられている貯留タンク（図示せず）などに誘導される。本体部１８ａの上下左右のそれぞれには遊技盤６の切り欠き６ｄの位置に対応するように挿通孔１８ｅが２つずつ形成されている。
【００２７】
本体部１８ａの前面の左右には、球通路１８ｃを間に挟むようにして遊技盤６の貫通孔６ｅに挿入されて係止する一対の係止突起２０が設けられている。係止突起２０は弾性変形可能な樹脂等からなり、軸部２０ａと係止部２０ｂとから構成されている。軸部２０ａは円柱状であり、遊技盤６の厚さよりもやや長くなるように形成されている。軸部２０ａの基端部はネジまたは工業用接着剤などにより本体部１８ａの前面に固着されている。軸部２０ａの先端部には角が取れた略鏃状の係止部２０ｂが形成されている。
【００２８】
係止部２０ｂは貫通孔６ｅの径よりもやや大きめに形成されており、係止突起２０を係止部２０ｂから遊技盤６の貫通孔６ｅに挿入（圧入）していくと、係止突起２０の係止部２０ｂは貫通孔６ｅ内に貫通孔６ｅの壁面によって内方に縮みながら進入していく。やがて係止突起２０が遊技盤６を貫通すると、係止部２０ｂが外方に膨らんで元の大きさに復帰して、遊技盤６は係止突起２０の係止部２０ｂと本体部１８ａとで挟持された状態となる。また、遊技盤６の貫通孔６ｅから係止突起２０の係止部２０ｂを強引に引き抜くように遊技盤６と本体部１８ａとを引き離すような外力を加えると、係止部２０ｂは貫通孔６ｅ内を貫通孔６ｅの壁面によって内方に縮みながら通過し、やがて係止突起２０は貫通孔６ｅから引き抜かれる。
【００２９】
このように、本実施形態では、本体部１８ａに設けられた係止突起２０と、遊技盤６の貫通孔６ｅとから一体化手段が構成されており、係止突起２０を貫通孔６ｅに対して挿脱させることにより、本体部１８ａと遊技盤６とを一体化させたり、あるいはその一体化を解除することが可能となる。
【００３０】
制御回路装置１９は本体部１８ａの裏面に図示しないネジによって固定されている。制御回路装置１９は、メイン制御基板１９ａ、サブ制御基板１９ｂなどから構成されている。また、本体部１８ａには、図柄可変表示装置２３が取り付けられており、図柄可変表示装置２３は、液晶パネル２３ａが本体部１８ａの前面側に突出するように本体部１８ａに取り付けられている。遊技盤６が本体部１８ａの係止突起２０によって本体部１８ａに支持された際、図柄可変表示装置２３の液晶パネル２３ａは遊技盤６の開口６ｂから露呈される。
【００３１】
パチンコ機２はメイン制御基板１９ａに設けられたＣＰＵ（図示ぜす）によって管制される。メイン制御基板１９ａは、機種に応じた遊技の実行処理を行い、さらに、サブ制御基板１９ｂに対して命令を行うための制御を行う。例えば、始動入賞口１３に設けられている始動入賞口入賞球検出センサ（図示せず）によりパチンコ球の入賞が検出されると、メイン制御基板１９ａのＣＰＵにスタート信号が入力される。メイン制御基板１９ａはスタート信号に応答してハズレ又は当たりを決定する抽選を行い、抽選結果に応じた命令信号をサブ制御基板１９ｂに出力する。サブ制御基板１９ｂは、命令信号に基づいて図柄可変表示装置２３の表示制御、ランプ２４の点灯制御、スピーカー２５から出力される音声制御などの各駆動装置の作動を制御する。
【００３２】
中枠４には、裏セット板１８及び遊技盤６が取り付けられる略矩形状の取り付け枠２６が設けられている。取り付け枠２６の前面側には裏セット板１８及び遊技盤６を中枠４内に収容するためのスペースが設けられており、中枠４は、取り付け枠２６の前面と内壁面４ａとにより前面側から見て一段凹んだ状態になっている。取り付け枠２６の中央部には略矩形状の開口４ｂが形成されている。この開口４ｂには制御回路装置１９が嵌め込まれる。
【００３３】
取り付け枠２６の４隅には、遊技盤６を取り付け枠２６に着脱自在に取り付けるための遊技盤固定部材２７が遊技盤６の挿通孔６ｃの位置に対応するように設けられている。遊技盤固定部材２７は係止つまみ２７ａと軸部２７ｂとを備えている。軸部２７ｂは本体部１８ａの厚さに遊技盤６の厚さを加えた長さよりもやや長く形成されている。本実施形態では、遊技盤６を中枠４に固定するとともにその固定を解除する遊技盤固定手段は、遊技盤６の挿通孔６ｃと、遊技盤固定部材２７とから構成される。
【００３４】
取り付け枠２６の上下左右には、本体部１８ａの挿通孔１８ｅの位置に対応するように、裏セット板１８を本体基部３に着脱自在に取り付けるための裏セット板固定部材２８が２つずつ設けられている。裏セット板固定部材２８は遊技盤固定部材２７とほぼ同様の構成をしており、係止つまみ２８ａと軸部２８ｂとを備えている。軸部２８ｂは本体部１８ａの厚さよりもやや長く形成されている。本実施形態では、裏セット板１８を中枠４に固定するとともにその固定を解除する裏機構板固定手段は、裏セット板１８の挿通孔１８ｅと、裏セット板固定部材２８とから構成される。
【００３５】
次に、遊技盤固定部材２７と裏セット板固定部材２８について説明する。遊技盤固定部材２７と裏セット板固定部材２８とは同じ構造の部材により構成されているため、中枠４に裏セット板１８を固定するための裏セット板固定部材２８のみを例に説明し、遊技盤固定部材２７の説明は簡略化する。図４に示すように、中枠４の取り付け枠２６に設けられている裏セット板固定部材２８の係止つまみ２８ａは、軸部２８ｂを中心に回動自在に軸支されており、裏セット板１８が本体基部３に取り付けられていない状態では図４に示すように長手方向が鉛直に向けられた取り外し位置にセットされている。
【００３６】
本体部１８ａの挿通孔１８ｅは係止つまみ２８ａが挿入可能な大きさで、且つ上下に延びる長孔状に形成されており、裏セット板固定部材２８の係止つまみ２８ａを本体部１８ａの挿通孔１８ｅに挿通させながら本体部１８ａの裏面を取り付け枠２６の前面に突き当てると、係止つまみ２８ａが挿通孔１８ｅから回動自在となるように突出する。
【００３７】
図５に示すように、係止つまみ２８ａが挿通孔１８ｅから突出した状態で、その長手方向が水平となるように係止つまみ２８ａを９０度回転させると、係止つまみ２８ａは、裏セット板１８の取り外しが不能になる固定位置にセットされる。係止つまみ２８ａの固定位置への回動によって、係止つまみ２８ａが挿通孔１８ｅを通過不能となり、本体部１８ａに係止する。これにより本体部１８ａが取り付け枠２６に固定され、裏セット板１８が本体基部３に取り付けられたこととなる。なお、遊技盤６も裏セット板１８と同様の固定方法で遊技盤固定部材２７の係止つまみ２７ａ（図３参照）を遊技盤６の挿通孔６ｃに係止させることにより、中枠４の取り付け枠２６に着脱自在に固定される。このように前面扉５、遊技盤６、裏セット板１８が取り付けられた中枠４を、本体基部３の取り付け部３ａに取り付ける。中枠４の取り付け部３ａへの取り付け方法としては、ネジによる取り付けや、裏セット板固定部材２８のような部材を用いた取り付け等が考えられるが、本体基部３や中枠４の形状等を考慮して適宜変更されるものである。
【００３８】
図２に示すように、前面扉５のヒンジ７の取り付け側と反対側の内壁面には施錠装置３０が取り付けられている。図６に示すように、施錠装置３０は、前面扉５の内壁面に取り付けられた固定部材３１と、この固定部材３１に上下方向に摺動可能に取り付けられた可動部材３２と、中枠４の内壁面（図３の正面から向かって右側の内壁面）に設けられた突出片３３とから構成されている。固定部材３１に支持された可動部材３２は、中枠４の突出片３３に係合し、前面扉５と中枠４とをロックまたはロック解除する。
【００３９】
固定部材３１には、ピン３４及びストッパ３５が設けられており、これらを可動部材３２に係止させることによって、固定部材３１に可動部材３２が上下に移動自在に支持されている。また、前面扉５にはバネ３６が取り付けられており、バネ３６の付勢によって可動部材３２が上方向に付勢される。可動部材３２の前面扉５側の上下端部には矩形の切り欠き３７が形成されている。切り欠き３７の一端部３７ａがストッパ３５に係止すると可動部材３２の移動が規制される。
【００４０】
可動部材３２には、係止片３８が本体基部３側の上下端部の２箇所に設けられている。係止片３８には、斜辺３８ａと溝部３８ｂとが形成されている。可動部材３２はバネ３６の弾性復元力によって上方向に付勢されているので、溝部３８ｂが突出片３３に引っ掛かって係止されることで、前面扉５が本体基部３に対して開放不能となるようにロックされた状態になる。
【００４１】
前面扉５の前面には鍵穴５ａが設けられている（図１参照）。鍵穴５ａの内部には、特に図示しないが、所定の鍵を差し込むと嵌り合う溝を有する開錠用鍵と、開錠用鍵から前面扉５の可動部材３２に向かって延びる開錠用シャフト３９が設けられている。開錠用シャフト３９の先端には、突部４０ａを有する開錠用カム４０が形成されている。可動部材３２の開錠用カム４０に対応する位置には開口４１が形成されており、開口４１に開錠用カム４０の突部４０ａが嵌り込んで係止されている。
【００４２】
前面扉５と中枠４とのロックを解除するときは、鍵穴５ａに所定の鍵を差し込んで所定方向に回転させ、開錠用シャフト３９の先端に設けられた開錠用カム４０を、前面扉５の正面から見て時計周りに回転させる。これにより、開錠用シャフト３９が回転して開錠用カム４０の突部４０ａが開口４１の端部に係止し、可動部材３２が開錠用カム４０の突部４０ａによって押し下げられる。可動部材３２が押し下げられると、係止片３８の溝部３８ｂから係止片３８が外れて、前面扉５が中枠４に対して開放可能となるようにロックが解除された状態になる。
【００４３】
前面扉５を中枠４にロックされた状態にするには、開放された状態の前面扉５を閉じる方向に変位させると、係止片３８の斜辺３８ａが突出片３３に当接する。斜辺３８ａが突出片３３に当接した後、さらに前面扉５を閉じる方向に変位させると、可動部材３２がバネ３６の付勢力に抗して斜辺３８ａの傾斜に沿って徐々に下に下がっていく。そして、突出片３３が斜辺３８ａを乗り越えて溝部３８ｂに嵌り込み、バネ３６の付勢力によって可動部材３２が初期位置に戻ると係止片３８は突出片３３に係止される。
【００４４】
次に、上記構成による作用について説明する。遊技盤６及び裏セット板１８を中枠４に取り付ける場合、まず、前面扉５を開放した状態にして、裏セット板固定部材２８の係止つまみ２８ａを図４に示す取り外し位置にセットする。そして、裏セット板１８の本体部１８ａの裏面が中枠４の取り付け枠２６の前面に対面するように裏セット板１８を中枠４の前面側に位置させる。裏セット板１８を中枠４の前面側から、制御回路装置１９を中枠４の開口４ｂに挿通させながら、本体部１８ａの挿通孔１８ｅに裏セット板固定部材２８の係止つまみ２８ａを挿通させる。取り付け枠２６の前面に本体部１８ａの裏面を突き当てると、挿通孔１８ｅから裏セット板固定部材２８の係止つまみ２８ａが本体部１８ａの前面に突出する。そして、裏セット板固定部材２８の係止つまみ２８ａを図４に示す取り外し位置から図５に示す固定位置に回動させると、裏セット板１８が中枠４の取り付け枠２６に固定される。
【００４５】
裏セット板１８を中枠４に固定した後、遊技盤固定部材２７の係止つまみ２７ａを取り外し位置にセットする。そして、遊技盤６の裏面が中枠４に取り付けられている裏セット板１８の前面に対面するように遊技盤６を中枠４の前面側に位置させる。本体部１８ａの係止突起２０と遊技盤６の貫通孔６ｅとの位置を合わせて、遊技盤６の挿通孔６ｃに遊技盤固定部材２７の係止つまみ２７ａを挿通させながら、裏セット板１８の係止突起２０を遊技盤６の貫通孔６ｅに挿入する。裏セット板１８の係止突起２０の係止部２０ｂは貫通孔６ｅ内を貫通孔６ｅの壁面によって内方に縮みながら通過し、やがて係止突起２０は遊技盤６を貫通すると係止部２０ｂは外方に膨らんで元の大きさに復帰する。これにより遊技盤６と裏セット板１８とが一体化し、遊技盤６が裏セット板１８に支持された状態となる。そして、遊技盤固定部材２７の係止つまみ２７ａを取り外し位置から固定位置に回動させると、遊技盤６が中枠４の取り付け枠２６に固定される。
【００４６】
図７に示すように、係止突起２０が遊技盤６を貫通したと同時に挿通孔６ｃから遊技盤固定部材２７の係止つまみ２７ａが遊技盤６の前面側に突出する。このとき、遊技盤６の切り欠き６ｄを通して裏セット板固定部材２８の係止つまみ２８ａも遊技盤６の前面側に露呈される。遊技盤固定部材２７の係止つまみ２７ａを取り外し位置から固定位置に回動させると、遊技盤６が中枠４の取り付け枠２６に固定される。
【００４７】
このようにして中枠４に裏セット板１８及び遊技盤６をこの順番で順次に前面側から取り付けた後、施錠装置３０により前面扉５を中枠４にロックする。これにより裏セット板１８及び遊技盤６の中枠４への取り付けが完了する。そして、裏セット板１８、遊技盤６及び前面扉５が取り付けられた中枠４を、本体基部３の取り付け部３ａに取り付ける。
【００４８】
遊技盤６及び裏セット板１８をまとめて中枠４から取り外す場合には、前面扉５と中枠４とのロックを解除して前面扉５を開放した後、遊技盤固定部材２７の係止つまみ２７ａを固定位置から取り外し位置に回動させ、遊技盤固定部材２７の係止つまみ２７ａと遊技盤６の挿通孔６ｃとによる係止状態を解除する。さらに、遊技盤６の切り欠き６ｄから露呈されている裏セット板固定部材２８の係止つまみ２８ａを固定位置から取り外し位置に回動させ、裏セット板固定部材２８の係止つまみ２８ａと本体部１８ａの挿通孔１８ｅとによる係止状態を解除する。これにより、係止突起２０により遊技盤６と裏セット板１８とが一体化しているので、中枠４の前面側から遊技盤６と裏セット板１８とをまとめて取り外すことができる。
【００４９】
また、遊技盤６だけを中枠４から取り外す場合には、前面扉５と中枠４とのロックを解除して前面扉５を開放した後、遊技盤固定部材２７の係止つまみ２７ａを固定位置から取り外し位置に回動させ、遊技盤固定部材２７の係止つまみ２７ａと遊技盤６の挿通孔６ｃとによる係止状態を解除すれば遊技盤６だけを中枠４から取り外すことが可能となる。
【００５０】
なお、遊技盤６と裏セット板１８とを中枠４に取り付ける場合、必ずしも遊技盤６と裏セット板１８とを別個にして中枠４に取り付ける必要はなく、遊技盤６及び裏セット板１８を中枠４に取り付ける前に、裏セット板１８の係止突起２０を遊技盤６の挿通孔６ｃに挿通させ、遊技盤６と裏セット板１８とを一体化してから中枠４に取り付けるようにしても良く、この場合、中枠４には、裏セット板１８及び遊技盤６が、この順序に並んだ状態で前面側から取り付けられる。このように、遊技盤６や裏セット板１８を中枠４に取り付ける場合、状況に応じた取り付け作業を行うことができる。
【００５１】
以上のように、裏セット板固定部材２８により裏セット板１８を中枠４に固定し、遊技盤固定部材２７により遊技盤６を中枠４に固定するとともに、裏セット板１８の係止突起２０を遊技盤６の挿通孔６ｃに挿通させることにより、遊技盤６と裏セット板１８とを一体化するようにしたので、遊技盤６や裏セット板１８の中枠４への取り付け作業を効率的に行うことができる。また、中枠４から遊技盤６のみを取り外したり、あるいは中枠４から遊技盤６と裏セット板１８とをまとめて取り外すことも容易に行うことができる。このように、中枠４から遊技盤６や裏セット板１８を取り外す作業を状況に応じて行うことができるようになる。
【００５２】
上記実施形態では、本体部１８ａに切り欠き１８ｄを形成したが、これに限ることなく、遊技盤固定部材２７を遊技盤６の挿通孔６ｃに挿通可能にする貫通孔を本体部１８ａに形成しても良い。また、遊技盤６に切り欠き６ｄを形成したが、本体部１８ａに挿通されている裏セット板固定部材２８の係止つまみ２８ａを遊技盤６の前面側に露呈させ、係止つまみ２８ａが操作可能となるような貫通孔を遊技盤６に形成しても良い。
【００５３】
上記実施形態では、裏セット板１８の本体部１８ａに係止突起２０を設けて、この係止突起２０を遊技盤６の挿通孔６ｃに挿通させることにより、遊技盤６と裏セット板１８との一体化を図ったが、遊技盤６の裏面に係止突起を設け、本体部１８ａに貫通孔を設けるようにしても良い。このように、遊技盤６と裏セット板１８とを一体化させる形態は上述した形態以外にも考えられる。
【００５４】
以下、遊技盤と裏セット板とを一体化させるとともにその一体化を解除する別の形態について説明する。なお、上記実施形態のものと同様の構成部材については同一の符号を付し、その詳細な説明は省略する。また、以下に記述する遊技盤５２、７３、９２、裏セット板５０、７０、９０及び本体部５０ａ、７０ａ、９０ａは上記実施形態で説明した遊技盤６，裏セット板１８及び本体部１８ａとほぼ同様の構成をしているため、上記実施形態と重複する箇所の説明は省略し、上記実施形態と異なる箇所についてのみ説明する。
【００５５】
図８に示すように、裏セット板５０は本体部５０ａと制御回路装置１９などを備えている。本体部５０ａの裏面には制御回路装置１９が取り付けられており、本体部５０ａの前面には、球通路１８ｃが形成されている（図３参照）。さらに、本体部５０ａの前面の中央には、本体部５０ａに組み付けられている図柄可変表示装置２３の外周を取り囲むように、遊技盤５２の前面５２ａに形成されている遊技領域５２ｂ内に配置される構造物５３が設けられている。
【００５６】
構造物５３は、本体部５０ａの前面から遊技盤５２の裏面に向けて突出した略直方形状の筒体であり、前方が開放された開口５３ａが形成されている。構造物５３の高さ、つまり、突出方向の長さは、遊技盤５２の厚みと同じなるように設計されている。
【００５７】
遊技盤５２には構造物５３が挿通される開口５２ｃが形成されている。この開口５２ｃに構造物５３が挿通されると構造物５３の前面が遊技領域５２ｂに露呈される。さらに、図柄可変表示装置２３の液晶パネル２３ａが構造物５３の開口５３ａを通して遊技盤５２の前面５２ａ側から視認可能に露呈される。
【００５８】
構造物５３の上壁５４と下壁５５のそれぞれには、中空部５６が形成されている。また、構造物５３の上壁５４と下壁５５の前面には中空部５６に連通している開口５７が形成されている。中空部５６には遊技盤５２の遊技領域５２ｂに露呈される一対の装飾部材５８が、後述する係止突起５９を含む先端部を開口５７から常に突出させた状態で、前後方向（図８の矢印Ａ方向）でスライド可能となるように嵌め込まれている。
【００５９】
装飾部材５８は、基体６０、ヒンジ６１、回動片６２、及び係止突起５９から構成されている。基体６０の一端にはストッパ６０ａが形成されており、装飾部材５８を中空部５６から引き出すと、ストッパ６０ａが開口５７の縁５７ａに係合し、これにより装飾部材５８の突出が規制される。基体６０の他端にはヒンジ６１を介して回動片６２が回動自在に取り付けられている。回動片６２は板状に形成されている。回動片６２は、ヒンジ６１により、遊技盤５２の裏面５２ｄを本体部５０ａの前面に略平行となるように対面させた際に、図１０に示すように遊技盤５２の前面５２ａと略平行になる平行位置と、図９に示すように遊技盤５２の前面５２ａと略垂直になる垂直位置との間で回動自在となっている。
【００６０】
回動片６２の前面６２ａ、つまり平行位置にセットしたときに遊技盤５２の遊技領域５２ｂに露呈され、遊技者に視認される面には印刷や塗装などによって様々な装飾が施されている。なお、回動片６２の前面６２ａに、図２に示すような役物Ａを取り付けても良い。
【００６１】
回動片６２の先端部の裏面６２ｂには弾性変形可能な樹脂等の係止突起５９が形成されている。係止突起５９の先端部は角の取れた略鏃状に形成されている。上壁５４の回動片６２の係止突起５９は、回動片６２が垂直位置にセットされているときには上方に向けて突出するように形成されている。下壁５５の回動片６２の係止突起５９は、回動片６２が垂直位置にセットされているときには下方に向けて突出するように形成されている。
【００６２】
遊技盤５２の前面５２ａには係止突起５９が嵌め込まれて係止する嵌合孔（穴部）５２ｅが形成されている。回動片６２を垂直位置にセットした状態で遊技盤５２の開口５２ｃに構造物５３を挿通させた後、回動片６２を垂直位置から平行位置に回動させることにより係止突起５９は嵌合穴５２ｅに嵌め込まれる。本実施形態では、裏セット板５０と遊技盤５２とを一体化するとともにその一体化を解除する一体化手段は、回動片６２に形成された係止突起５９と、遊技盤５２の前面５２ａに形成された嵌合孔（穴部）５２ｅとから構成されている。
【００６３】
なお、上壁５４の回動片６２の係止突起５９は、回動片６２が垂直位置にセットされているとき、その高さが上壁５４の上面５４ａよりも上方に突出しないように形成されており、また、下壁５５の回動片６２の係止突起５９は、回動片６２が垂直位置にセットされているとき、その高さが下壁５５の下面５５ａよりも下方に突出しないように形成されている。つまり、回動片６２が垂直位置にセットされた状態で遊技盤５２の開口５２ｃに構造物５３を挿通させる際に、係止突起５９が遊技盤５２の開口５２ｃの縁に引っ掛かることなく、構造物５３を遊技盤５２の開口５２ｃに挿通させることができるように係止突起５９は形成されている。
【００６４】
このように構成された裏セット板５０と遊技盤５２とを一体化させる場合、先ず、回動片６２を中空部５６から引き出して、垂直位置にセットする。遊技盤５２の裏面５２ｄを本体部５０ａの前面に略平行となるように対面させる。遊技盤５２を矢印Ｂ方向に移動させて遊技盤５２の開口５２ｃに構造物５３を挿通させる。遊技盤５２の裏面５２ｄを本体部５０ａの前面に突き当てて、構造物５３の前面、及び図柄可変表示装置２３の液晶パネル２３ａを遊技領域５２ｂに露呈させる。
【００６５】
図９に示すように、回動片６２を垂直位置から平行位置に向けて（円弧矢印方向に）回動させていくと、やがて係止突起５９の先端部が嵌合穴５２ｅの入口の縁に当接する。さらに回動片６２を回動させていくと、係止突起５９の先端部は嵌合穴５２ｅ内に嵌合穴５２ｅの壁面によって内方に縮みながら進入していく。図１０に示すように、回動片６２が平行位置に到達すると係止突起５９は嵌合穴５２ｅに完全に嵌め込まれる。係止突起５９は嵌合穴５２ｅに係止され、遊技盤５２は回動片６２と本体部５０ａとで挟持された状態になる。これにより、裏セット板５０と遊技盤５２とが一体化される。また、様々な装飾が施された回動片６２の前面６２ａが遊技領域５２ｂに露呈されるので、遊技領域５２ｂが装飾される。
【００６６】
このように、本体部５０ａの回動片６２に係止突起５９を設けて、この係止突起５９を遊技盤５２の嵌合穴５２ｅに嵌め込むことにより裏セット板５０と遊技盤５２とを一体化させても良いが、図１１及び図１２に示すように、遊技盤５２の前面５２ａに係止突起６５を有する第１回動片６６を設けて、この第１回動片６６を本体部５０ａの第２回動片６７を経由させて遊技盤５２の嵌合穴５２ｅに嵌め込むことにより裏セット板５０と遊技盤５２との一体化を図っても良い。この場合の具体的な形態について図１１及び図１２を参照しながら説明する。なお、図８〜図１０に示す実施形態のものと同様の構成部材については同一の符号を付し、その詳細な説明は省略する。本実施形態では、裏セット板５０と遊技盤５２とを一体化するとともにその一体化を解除する一体化手段は、第１回動片６６に形成された係止突起６５と、遊技盤５２の前面５２ａに形成された嵌合孔（穴部）５２ｅとから構成されている。
【００６７】
上述した回動片６２と同様に、第２回動片６７がヒンジ６１により基体６０に軸着されている。第２回動片６７には遊技盤５２の嵌合穴５２ｅに対応するように貫通孔６７ａが形成されている。遊技盤５２の前面５２ａには、第１回動片６６がヒンジ６８により回動自在に軸着されている。第１回動片６６の裏面６６ａ、つまり、遊技盤５２の前面５２ａに対面している面には係止突起６５が形成されている。第１回動片６６の前面６６ｂ、つまり、係止突起６５が形成されている面とは反対側の面には、印刷や塗装などによって装飾が施されている。なお、第１回動片６６の前面６６ｂに、図２に示すような役物Ａを取り付けても良い。
【００６８】
裏セット板５０と遊技盤５２とを一体化させる場合、先ず、本体部５０ａの第２回動片６７を遊技盤５２の前面５２ａに対して垂直な垂直位置にセットした後、遊技盤５２の開口５２ｃに構造物５３を挿通させる。構造物５３を遊技盤５２の開口５２ｃに完全に挿通させた後、本体部５０ａの第２回動片６７を回動させて遊技盤５２の前面５２ａに対して平行な平行位置にセットする。そして遊技盤５２の第１回動片６６を本体部５０ａの図１１の円弧矢印方向に回動させ、係止突起６５を本体部５０ａの第２回動片６７の貫通孔６７ａを通して遊技盤５２の嵌合穴５２ｅに嵌め込む。これにより、裏セット板５０と遊技盤５２とが一体化される。また、装飾が施された遊技盤５２の第１回動片６６の前面６６ｂが遊技領域５２ｂに露呈されるので、遊技領域５２ｂが装飾される。
【００６９】
次に、裏セット板と遊技盤とを一体化させるとともにその一体化を解除する別の形態について図１３〜図１５を参照しながら説明する。なお、図１〜図７に示す実施形態のものと同様の構成部材については同一の符号を付し、その詳細な説明は省略する。裏セット板７０は本体部７０ａ、制御回路装置１９などを備えている。本体部７０ａの裏面７０ｂには制御回路装置１９が取り付けられており、本体部７０ａの前面７０ｃには、球通路１８ｃが形成されている。さらに、本体部７０ａの前面７０ｃには、前方に向けて突出している略直方形状の突起７２が形成されている。突起７２の先端の上部は円弧状に形成されている。この突起７２の上面には上方に向けて開口された凹部（穴部）７２ａが形成されている。なお、突起７２の突出方向の長さは遊技盤７３の厚みと同じになるように設計されている。
【００７０】
遊技盤７３の前面７３ａには遊技領域７３ｂが形成されている。遊技盤７３には遊技領域７３ｂを間に挟むようにして、本体部７０ａの突起７２の位置に対応し、且つ突起７２が挿通可能となる大きさの挿通孔７３ｃが２つ形成されている。挿通孔７３ｃの上方には縦長の開口７３ｄが形成されている。
【００７１】
開口７３ｄの奥には、開口７３ｄに連通している中空部７３ｅが形成されている。中空部７３ｅと挿通孔７３ｃとの間に介在している中空部７３ｅを形成している底壁７４には、中空部７３ｅと挿通孔７３ｃとを連通する貫通孔７４ａが形成されている。中空部７３ｅには係止部材７５が収納されている。
【００７２】
係止部材７５は、係止突起７６と係止解除レバー７７とから構成されている。係止突起７６は略円柱形状であり、その先端部が半球状に形成されている。係止突起７６は貫通孔７４ａに嵌め込まれ、貫通孔７４ａを通して挿通孔７３ｃ内に突出する。係止突起７６の後端部には貫通孔７４ａを塞ぐように係止解除レバー７７が一体に形成されている。係止解除レバー７７の一端は開口７３ｄから遊技盤７３の前面７３ａ側に突出している。本実施形態では、裏セット板７０と遊技盤７３とを一体化するとともにその一体化を解除する一体化手段は、係止部材７５の係止突起７６と、遊裏セット板７０の突起７２に形成された凹部（穴部）７２ａとから構成されている。
【００７３】
中空部７３ｅにはコイルバネ７８が収容されており、コイルバネ７８の一端は中空部７３ｅを形成している上壁７９に固着され、他端は係止解除レバー７７の上面７７ａに固着されている。よって、係止部材７５はコイルバネ７８により下方向に常に付勢される。係止部材７５がコイルバネ７８によって下方向に付勢されると、係止解除レバー７７が中空部７３ｅを形成している底壁７４に係止して、係止突起７６が貫通孔７４ａから突出する。
【００７４】
裏セット板７０と遊技盤７３とを一体化させる場合、先ず、遊技盤７３の裏面７３ｆを本体部７０ａの前面７０ｃに略平行となるように対面させ、挿通孔７３ｃと突起７２との位置を合わせる。遊技盤７３を矢印Ｄ方向に移動させて本体部７０ａの突起７２を挿通孔７３ｃに挿通させる。突起７２が挿通孔７３ｃ内に進入していくと、やがて突起７２の先端の上部が係止突起７６に当接する。突起７２の先端の上部が係止突起７６に当接した後、さらに突起７２を挿通孔７３ｃに挿通させていくと、係止突起７６は本体部７０ａの突起７２によりコイルバネ７８の付勢力に抗して上方に持ち上げられる。そして、係止突起７６が突起７２の凹部７２ａに嵌り込み、コイルバネ７８の付勢力によって係止突起７６が初期位置に戻ると、係止突起７６は突起７２の凹部７２ａに係止される。これにより裏セット板７０と遊技盤７３とが一体化される。
【００７５】
裏セット板７０と遊技盤７３との一体化を解除する場合には、係止解除レバー７７を矢印Ｅ方向に向けて持ち上げて係止突起７６と突起７２の凹部７２ａとの係止を解除し、係止解除レバー７７を持ち上げたまま、つまり、係止突起７６と突起７２の凹部７２ａとの係止を解除した状態を維持したまま、本体部７０ａの突起７２を遊技盤７３の挿通孔７３ｃから引き抜くようにして裏セット板７０と遊技盤７３とを引き離せば良い。
【００７６】
次に、裏セット板と遊技盤とを一体化させるとともにその一体化を解除する別の形態について図１６を参照しながら説明する。なお、図１〜図７に示す実施形態のものと同様の構成部材については同一の符号を付し、その詳細な説明は省略する。裏セット板９０は本体部９０ａと制御回路装置１９などを備えている。本体部９０ａの裏面には制御回路装置１９が取り付けられており、本体部９０ａの前面には、球通路１８ｃ（図３参照）が形成されている。本体部９０ａには、球通路１８ｃを間に挟むようにして円形状の貫通孔９０ｂが２つ形成されている。
【００７７】
遊技盤９２の裏面には、貫通孔９０ｂに挿通可能な略円柱状の係止突起９３が本体部９０ａの貫通孔９０ｂの位置に対応するように設けられている。係止突起９３の先端付近には円環状の溝９３ａが形成されている。係止突起９３が本体部９０ａの貫通孔９０ｂに挿通されると溝９３ａが本体部９０ａの裏面側に突出する。
【００７８】
本体部９０ａの上方には回動片９４が回動自在に軸着されている。回動片９４には係止突起９３の溝９３ａに係合可能な半円状の切り欠き（穴部）９４ａが形成されている。本実施形態では、裏セット板９０と遊技盤９２とを一体化するとともにその一体化を解除する一体化手段は、遊技盤９２に形成された係止突起９３と、本体部９０ａに軸着された回動片９４に形成された切り欠き（穴部）９４ａとから構成されている。貫通孔９０ｂに係止突起９３を挿通させた後、回動片９４を図中の矢印Ｆ方向に回動させて係止突起９３の溝９３ａに回動片９４の切り欠き９４ａを係合させることにより裏セット板９０と遊技盤９２とを一体化させることができる。この一体化を解除する場合には、係止突起９３の溝９３ａと回動片９４の切り欠き９４ａとの係合を解除した後、遊技盤９２の係止突起９３を本体部９０ａの貫通孔９０ｂから引き抜くようにして裏セット板９０と遊技盤９２とを引き離せば良い。
【００７９】
次に、遊技盤６を本体基部３に着脱自在に固定する形態について図１７〜図１９を参照しながら説明する。なお、図１〜図７に示す実施形態のものと同様の構成部材については同一の符号を付し、その詳細な説明は省略する。この実施形態では、本体基部３の取り付け部３ａの四隅には、遊技盤６を取り付け部３ａに着脱自在に取り付けるための遊技盤固定部材２７が遊技盤６の挿通孔６ｃの位置に対応するように設けられている。軸部２７ｂは、取り付け枠２６の厚さと本体部１８ａの厚さと遊技盤６の厚さとを加えた長さよりもやや長く形成されている。中枠４の取り付け枠２６の四隅には、遊技盤固定部材２７を挿通するための挿通孔２６ａが形成されている。図１８に示すように、裏セット板１８を上述したように中枠４に固定し、図１９に示すように、中枠４を本体基部３の取り付け部３ａに取り付ける。中枠４を取り付け部３ａに取り付けると、遊技盤固定部材２７が取り付け枠２６の挿通孔２６ａを挿通される。次に、遊技盤固定部材２７の係止つまみ２７ａを取り外し位置にセットする。そして、遊技盤６の裏面が中枠４に取り付けられている裏セット板１８の前面に対面するように遊技盤６を中枠４の前面側に位置させる。本体部１８ａの係止突起２０と遊技盤６の貫通孔６ｅとの位置を合わせて、遊技盤６の挿通孔６ｃに遊技盤固定部材２７の係止つまみ２７ａを挿通させながら、裏セット板１８の係止突起２０を遊技盤６の貫通孔６ｅに挿入する。これにより遊技盤６と裏セット板１８とが一体化する。そして、遊技盤固定部材２７の係止つまみ２７ａを固定位置にセットすると、遊技盤６が本体基部３の取り付け部３ａに固定される。
【００８０】
次に、裏セット板と遊技盤とを中枠に着脱自在に固定する別の形態について図２０〜図２２を参照しながら説明する。なお、図１〜図７に示す実施形態のものと同様の構成部材については同一の符号を付し、その詳細な説明は省略する。この実施形態では、中枠（保持枠）１００は、略コ字状の第１枠部材１０１と、板状の第２枠部材１０２とを備え、第２枠部材１０２は、第１枠部材１０１に固定ネジにより着脱自在に固定される。第１枠部材１０１には、裏セット板１８及び遊技盤６が取り付けられる略コ字状の取り付け部１０１ａが設けられている。取り付け部１０１ａの前面側には裏セット板１８及び遊技盤６を第１枠部材１０１内に収容するためのスペースが設けられており、第１枠部材１０１は、取り付け部１０１ａの前面と内壁面１０１ｂとにより前面側から見て一段凹んだ状態になっている。取り付け部１０１ａの左側端部の上側端部及び下側端部には、遊技盤６を取り付け部１０１ａに着脱自在に取り付けるための遊技盤固定部材２７が遊技盤６の挿通孔６ｃの位置に対応するように設けられている。取り付け部１０１ａの上下端部には、裏セット板１８の本体部１８ａを挿入するための、凹状の挿入凹部１０１ｃが形成されている。なお、第２枠部材１０２の第１枠部材１０１への固定は、固定ネジによる固定に限定されることなく、着脱自在に固定することができればよく、例えば、係止突起と孔とにより固定するようにしてもよい。さらに、第２枠部材１０２を回動自在に第１枠部材１０１に取り付け、裏セット板１８を第１枠部材１０１に取り付けるときに、第２枠部材１０２を第１枠部材１０１の図２０における右側側面を露呈する位置に回動し、裏セット板１８を第１枠部材１０１に取り付けた後に、第１枠部材１０１の右側側面を覆う位置に回動するようにしてもよい。本実施形態では、裏セット板１８を中枠４に固定するとともにその固定を解除する裏機構板固定手段は、本体部１８ａと、挿入凹部１０１ｃと、第２枠部材１０２と、固定ネジとから構成される。
【００８１】
第２枠部材１０２には、裏セット板１８の本体部１８ａの裏面が当接する板状の当接部１０２ａが設けられており、当接部１０２ａの上下端部には、遊技盤６を取り付け部１０１ａに着脱自在に取り付けるための遊技盤固定部材２７が遊技盤６の挿通孔６ｃの位置に対応するように設けられている。裏セット板１８の本体部１８ａの右側端部には、当接部１０２ａに設けられた遊技盤固定部材２７を露呈するための切欠き１８ｆが２個形成されている。
【００８２】
図２１に示すように、裏セット板１８の本体部１８ａを第１枠部材１０１の挿入凹部１０１ｃに挿入して図中矢印Ｃ方向に移動すると、裏セット板１８は、上下及び前後方向において移動不能に第１枠部材１０１に取り付けられる。次に、図２２に示すように、第２枠部材１０２をネジにより第１枠部材１０１に固定する。第２枠部材１０２を第１枠部材１０１に固定すると、裏セット板１８は、上下、前後及び左右方向において移動不能に中枠１００に取り付けられる。そして、遊技盤固定部材２７により、遊技盤６を中枠１００に取り付ける。裏セット板１８を中枠１００から取り外す場合には、遊技盤固定部材２７の係止つまみ２７ａを固定位置から取り外し位置に回動させ、遊技盤固定部材２７の係止つまみ２７ａと遊技盤６の挿通孔６ｃとによる係止状態を解除して、遊技盤６を中枠１００から取り外す。次に、第２枠部材１０２を第１枠部材１０１に固定しているネジを緩めて、第２枠部材１０２を第１枠部材１０１から取り外す。そして、裏セット板１８を第１枠部材１０１から取り外す。
【図面の簡単な説明】
【００８３】
【図１】本発明を用いたパチンコ機の外観を示す斜視図である。
【図２】パチンコ機の分解斜視図である。
【図３】中枠と前面扉と遊技盤と裏セット板とを示す分解斜視図である。
【図４】裏セット板固定部材の係止つまみが取り外し位置にセットされた状態を示す正面図である。
【図５】裏セット板固定部材の係止つまみが固定位置にセットされた状態を示す正面図である。
【図６】施錠装置の概略を示す断面図である。
【図７】裏セット板が本体基部に固定され、遊技盤と裏セット板とが一体化した時の状態を示す斜視図である。
【図８】遊技盤の開口に裏セット板の構造物を挿通させる時の状態を示す断面図である。
【図９】遊技盤の開口に裏セット板の構造物が完全に挿通された時の状態を示す断面図である。
【図１０】遊技盤と裏セット板とが一体化したときの状態を示す断面図である。
【図１１】第１回動片の係止突起を第２回動片の貫通孔及び遊技盤の嵌合穴に挿通させる時の状態を示す断面図である。
【図１２】第１回動片の係止突起が第２回動片の貫通孔及び遊技盤の嵌合穴に挿通され、遊技盤と制御回路ユニットとが一体化した時の状態を示す断面図である。
【図１３】遊技盤と裏セット板とを一体化させるための別の形態を示す遊技盤及び裏セット板の斜視図である。
【図１４】裏セット板の突起、遊技盤の係止部材、及びその周辺を示す断面図である。
【図１５】係止部材の係止突起と突起の凹部とによる係止状態を解除した時の態様を示す断面図である。
【図１６】遊技盤と裏セット板とを一体化させるための別の形態を示す遊技盤及び制御回路ユニットの裏面側斜視図である。
【図１７】遊技盤を本体基部に着脱自在に固定する実施形態の本体基部と中枠とを示す分解斜視図である。
【図１８】中枠に裏セット板を取り付けた状態の本体基部と中枠と裏セット板と遊技盤とを示す分解斜視図である。
【図１９】本体基部に中枠を取り付けた状態の本体基部と中枠と裏セット板と遊技盤とを示す分解斜視図である。
【図２０】中枠を分割して、裏セット板及び遊技盤を着脱自在に固定する実施形態の第１枠部材と第２枠部材と裏セット板とを示す分解斜視図である。
【図２１】裏セット板を第１枠部材に取り付けた状態の第１枠部材と第２枠部材と裏セット板とを示す分解斜視図である。
【図２２】裏セット板を第１枠部材に取り付けて、第２枠部材を第１枠部材に取り付けた状態の第１枠部材と第２枠部材と裏セット板と遊技盤を示す分解斜視図である。
【符号の説明】
【００８４】
２  パチンコ機（遊技機）
３  本体基部
４、１００  中枠（保持枠）
５  前面扉
６、５２、７３、９２  遊技盤
６ａ、５２ｂ、７３ｂ  遊技領域
６ｃ  挿通孔
６ｄ  切り欠き
６ｅ  貫通孔（穴部）
１８、５０、７０、９０  裏セット板（裏機構板）
１８ａ、５０ａ、７０ａ、９０ａ  本体部
１８ｃ  球通路
１８ｅ  挿通孔
２０、５９、６５、７６  係止突起
２６  取り付け枠
２６ａ  挿通孔
２７  遊技盤固定部材
２８  裏セット板固定部材
５３  構造物
５２ａ  前面
５２ｃ  開口
５２ｅ  嵌合穴（穴部）
６２  回動片
６６  第１回動片
６７  第２回動片
７２ａ  凹部（穴部）
９４  回動片
９４ａ  切り欠き（穴部）
１０１  第１枠部材
１０２  第２枠部材
【図１】
2006061599.tif 000003
【図２】
2006061599.tif 000004
【図３】
2006061599.tif 000005
【図４】
2006061599.tif 000006
【図５】
2006061599.tif 000007
【図６】
2006061599.tif 000008
【図７】
2006061599.tif 000009
【図８】
2006061599.tif 000010
【図９】
2006061599.tif 000011
【図１０】
2006061599.tif 000012
【図１１】
2006061599.tif 000013
【図１２】
2006061599.tif 000014
【図１３】
2006061599.tif 000015
【図１４】
2006061599.tif 000016
【図１５】
2006061599.tif 000017
【図１６】
2006061599.tif 000018
【図１７】
2006061599.tif 000019
【図１８】
2006061599.tif 000020
【図１９】
2006061599.tif 000021
【図２０】
2006061599.tif 000022
【図２１】
2006061599.tif 000023
【図２２】
2006061599.tif 000024